(57)【特許請求の範囲】
【請求項１】
端末の装置本体をカバーして設けられて、前記装置本体上の電子部品を封入する端末カバー本体であって、
スライドスロットが設けられ、前記スライドスロット内にスライドブロックが設置されているケーシング本体を備え、
前記スライドブロックが押された場合、前記スライドブロックと接触している係合材は、第一の状態と第二の状態の間に動作し、前記第一の状態において、前記係合材が前記装置本体と係合され、前記ケーシング本体が前記装置本体と締結され、前記第二の状態において、前記係合材が前記装置本体から離脱され、前記ケーシング本体が前記装置本体から分離され、
パワーオン回路とパワーオフ回路が、前記ケーシング本体にさらに設置されており、前記係合材が前記第一の状態に移動する前、前記スライドブロックが前記パワーオン回路のパワーオン接点と接触し、前記係合材が前記第二の状態に移動する前、前記スライドブロックが前記パワーオフ回路のパワーオフ接点と接触する
ことを特徴とする端末カバー本体。
【請求項２】
前記ケーシング本体は、第一のケーシングと第二のケーシングを含み、前記第一のケーシングと前記第二のケーシングとを組み合わせて設置し、前記第一のケーシングと前記第二のケーシングの中間に一つの収納空間を有する中間層が形成され、前記係合材が前記中間層内に設置され、前記スライドスロットが前記第一のケーシング上に設置される
ことを特徴とする請求項１に記載の端末カバー本体。
【請求項３】
前記係合材は、交差するように設置される第一のロッド本体と第二のロッド本体を含み、前記係合材は、前記第一のロッド本体と前記第二のロッド本体との交差点に設置された中部の回転軸を介して、前記第一のケーシングと前記第二のケーシングに固定されている
ことを特徴とする請求項２に記載の端末カバー本体。
【請求項４】
係止フックは、前記第一のロッド本体と前記第二のロッド本体の各端部に、共に設置されており、前記係止フックが、前記第二のケーシングの四隅に設置された穴を介して前記中間層から露出される
ことを特徴とする請求項３に記載の端末カバー本体。
【請求項５】
導電体は、前記スライドブロックの底部に設置されており、前記スライドブロックは、前記パワーオン接点と接触してパワーオン回路をオンした後、前記第一の状態に移動する時、前記係合材の第一のロッド本体を押して、前記係合材を前記装置本体と係合させ、前記スライドブロックは、前記パワーオフ接点と接触してパワーオフ回路をオンした後、前記第二の状態に移動する時、前記係合材の第二のロッド本体を押して、前記係合材を前記装置本体から分離させる
ことを特徴とする請求項１に記載の端末カバー本体。
【請求項６】
パワーオン回路とパワーオフ回路は、共に第二のケーシングにおける第一のケーシングに向う側に設置され、前記パワーオン回路は、第一の回路と第二の回路を含み、前記パワーオフ回路は、第三の回路と第四の回路を含み、パワーオン接点は、前記第一の回路に対して前記スライドスロットに設置された第一の接点と前記第二の回路に対して前記スライドスロットに設置された第二の接点を含み、パワーオフ接点は、前記第三の回路に対して前記スライドスロットに設置された第三の接点と前記第四の回路に対して前記スライドスロットに設置された第四の接点を含む
ことを特徴とする請求項２または５に記載の端末カバー本体。
【請求項７】
前記第一の接点、前記第二の接点、前記第三の接点及び前記第四の接点のいずれも物理的接触式の凸状な接点であり、且つ前記係合材が第一の状態にある場合、前記第一の接点及び前記第二の接点のうちの前記係合材の第一のロッド本体に最も近い接点は、前記スライドブロックをロック（ｌｏｃｋ）し、または、前記係合材が第二の状態にある場合、前記第三の接点及び前記第四の接点のうちの前記係合材の第二のロッド本体に最も近い接点は、前記スライドブロックをロック（ｌｏｃｋ）し、前記第一の状態又は第二の状態において、外力が作用していない状況で、前記スライドブロックに自動的に自分と接触している凸状な接点を越えさせないことによって、前記端末カバー本体が前記第一の状態または前記第二の状態を維持して変化しないようにする
ことを特徴とする請求項６に記載の端末カバー本体。
【請求項８】
端末であって、
請求項１〜７のいずれか１項に記載の端末カバー本体を含む
ことを特徴とする、前記端末。
【発明の詳細な説明】
【技術分野】
【０００１】
本発明は電子技術分野に関し、特に端末カバー本体及び端末に関する。
【背景技術】
【０００２】
近年、移動端末の普及に伴い、人々の生活に無限の便利と楽しさをもたらす。スマートフォン、タブレットコンピュータなどの移動端末は、エネルギ供給源としてリムーバブルバッテリーを採用する場合が多い。バッテリー、加入者識別モジュール（ＳＩＭ：Ｓｕｂｓｃｒｉｂｅｒ  Ｉｄｅｎｔｉｔｙ  Ｍｏｄｕｌｅ）カード又はメモリカードなどを交換する必要がある場合、背部ケーシングを開き、バッテリー、ＳＩＭカード又はメモリカードなどを取り出す必要がある。
【０００３】
従来の移動端末は、背部ケーシングにおける係合構成において、係止フックとパドロックの構成を装置本体上に固定させ、背部ケーシングを取り付けた後、背部ケーシングと緊密且つ強固に結合させている。しかし、背部ケーシングを取り外すことは手がかかるので、過度に力が印加されると、背部ケーシングを損耗し、ひいては移動端末が落下して、移動端末の破損を引き起こすことがある。
【発明の概要】
【発明が解決しようとする課題】
【０００４】
これを鑑みて、本発明の実施例は、端末から簡単且つ勝手に取り外すことができる端末カバー本体及び端末を提供する。
【課題を解決するための手段】
【０００５】
前記目的を実現するために、本発明の実施例に係る技術案は、以下のように実現される。
【０００６】
本発明の実施例は端末カバー本体を提供している。端末の装置本体をカバーして設けられ、前記装置本体上の電子部品を封入する端末カバー本体であって、
スライドスロットが設けられ、スライドブロックが前記スライドスロット内に設置されているケーシング本体を備え、
前記スライドブロックが押された場合、前記スライドブロックと接触している係合材は、第一の状態と第二の状態の間に動作し、前記第一の状態において、前記係合材が前記装置本体と係合され、前記ケーシング本体が前記装置本体と締結され、前記第二の状態において、前記係合材が前記装置本体から離脱され、前記ケーシング本体が前記装置本体から分離される。
【０００７】
ここで、パワーオン回路とパワーオフ回路が、前記ケーシング本体にさらに設置されており、前記係合材が前記第一の状態に移動する前、前記スライドブロックが前記パワーオン回路のパワーオン接点と接触し、前記係合材が前記第二の状態に移動する前、前記スライドブロックが前記パワーオフ回路のパワーオフ接点と接触する。
【０００８】
ここで、前記ケーシング本体は、第一のケーシングと第二のケーシングを含み、前記第一のケーシングと前記第二のケーシングとを組み合わせて設置し、前記第一のケーシングと前記第二のケーシングの中間に一つの収納空間を有する中間層が形成され、前記係合材が前記中間層内に設置され、前記スライドスロットが前記第一のケーシング上に設置される。
【０００９】
ここで、前記係合材は、交差するように設置される第一のロッド本体と第二のロッド本体を含み、前記係合材は、前記第一のロッド本体と前記第二のロッド本体との交差点に設置された中部の回転軸を介して、前記第一のケーシングと前記第二のケーシングに固定されている。
【００１０】
ここで、係止フックは、前記第一のロッド本体と前記第二のロッド本体の端部に、共に、設置されており、前記係止フックが、前記第二のケーシングの四隅に設置された穴を介して前記中間層から露出される。
【００１１】
ここで、導電体が、前記スライドブロックの底部に設置されており、前記スライドブロックは、前記パワーオン接点と接触してパワーオン回路をオンした後、前記第一の状態に移動する時、前記係合材を押して、前記係合材を前記装置本体と係合させ、前記スライドブロックは、前記パワーオフ接点と接触してパワーオフ回路をオンした後、前記第二の状態に移動する時、前記係合材を押して、前記係合材を前記装置本体から分離させる。
【００１２】
ここで、前記パワーオン回路と前記パワーオフ回路は、共に、前記第二のケーシングにおける第一のケーシングに向う側に設置され、前記パワーオン回路は、第一の回路と第二の回路を含み、前記パワーオフ回路は、第三の回路と第四の回路を含み、前記パワーオン接点は、前記第一の回路に対して前記スライドスロットに設置された第一の接点と前記第二の回路に対して前記スライドスロットに設置された第二の接点を含み、前記パワーオフ接点は、前記第三の回路に対して前記スライドスロットに設置された第三の接点と前記第四の回路に対して前記スライドスロットに設置された第四の接点を含む。
【００１３】
ここで、前記第一の接点、前記第二の接点、前記第三の接点及び前記第四の接点のいずれも物理的接触式の凸状な接点であり、且つ前記第一の接点、前記第二の接点、前記第三の接点及び前記第四の接点は、前記係合材が第一の状態又は第二の状態にある場合、前記スライドブロックをロック（ｌｏｃｋ）する。
【００１４】
本発明の実施例はまた端末を提供している。前記端末は前記端末カバー本体を含む。
【００１５】
本発明の実施例における前記技術案の効果は以下のようなものである。
【００１６】
本発明の実施例における端末カバー本体は、ケーシング本体におけるスライドスロット内のスライドブロックを押すことによって、係合材を装置本体との係合される状態と装置本体から離脱される状態の間に動作させ、ケーシング本体と装置本体の締結又は装置本体からの分離を行う。この技術案によって、端末カバー本体の着脱が便利、簡単になり、且つ端末カバー本体及び端末の破損を引き起こすことがない。
【図面の簡単な説明】
【００１７】
【図１】本発明の実施形態に係る端末カバー本体の構造構成を示す分解図である。
【図２】本発明の実施形態に係る端末カバー本体の内部図（中間層内の回路図が斜視図である）である
【図３】本発明の実施形態に係る端末カバー本体の外観図である。
【図４】本発明の実施形態に係る端末カバー本体の係止フックと装置本体係合溝の結合を示す斜視図である。
【図５】本発明の実施形態に係る端末カバー本体の係止フックと装置本体係合溝の結合の効果を示す図である。
【図６】本発明の実施形態に係る端末カバー本体のパワーオフ回路のトリガを示す図（斜視図）である。
【図７】本発明の実施形態に係る端末カバー本体の係合材の係止フックが装置本体係合溝からの分離過程（カバー体を開く）を示す図（斜視図）である。
【図８】本発明の実施形態に係る端末カバー本体を開いた後の状態を示す図（斜視図）である。
【図９】本発明の実施形態に係る端末カバー本体のパワーオン回路のトリガを示す図（斜視図）である。
【図１０】本発明の実施形態に係る端末カバー本体の係合材の係止フックが装置本体係合溝に押される過程（カバーを閉じる）を示す図（斜視図）である。
【図１１】本発明の実施形態に係る端末カバー本体を閉じた状態を示す図（斜視図）である。
【図１２】本発明の実施形態に係る端末カバー本体のパワーオン回路とパワーオフ回路を示す図である。
【発明を実施するための形態】
【００１８】
本発明が解決すべき技術的課題、技術案及び利点は明らかになるために、以下、図面及び具体的な実施例に基づいて、本発明の実施例を詳しく説明する。
【００１９】
従来の移動端末カバー本体において、係止フックとパドロック構成を装置本体上に固定させ、背部ケーシングを取り付けた後、背部ケーシングと緊密且つ強固に結合させているが、背部ケーシングを取り外すことは手がかかり、過度に力が印加されると、背部ケーシングを損耗し、ひいては移動端末が落下して、移動端末の破損を引き起こすことがある。本発明の実施例は、これに対して、端末カバー本体を提供する。
【００２０】
本発明の実施形態における端末カバー本体は、端末の装置本体をカバーして設けられて、前記装置本体上の電子部品を封入する。前記端末カバー本体は、
スライドスロットが設けられ、スライドブロックが前記スライドスロット内に設置されているケーシング本体を備え、
前記スライドブロックが押された場合、前記スライドブロックと接触している係合材は、在第一の状態と第二の状態の間に動作し、前記第一の状態において、前記係合材が前記装置本体と係合され、前記ケーシング本体が前記装置本体と締結され、前記第二の状態において、前記係合材が前記装置本体から離脱され、前記ケーシング本体が前記装置本体から分離される。
【００２１】
上記の端末カバー本体において、ケーシング本体におけるスライドスロット内のスライドブロックが押されることによって、係合材を装置本体との係合される状態と装置本体から分離される状態の間に動作させ、ケーシング本体と装置本体との締結又は装置本体からの分離を行う。この技術案によって、端末カバー本体の着脱が便利、簡単になり、且つ端末カバー本体及び移動端末の破損を引き起すことがない。
【００２２】
周知のように、端末カバー本体を取り外す前、先に電源ボタンを操作して端末のパワーオフ動作を行う必要がある。その後、端末カバー本体を取り外す。また、端末カバー本体を取り付けた後、電源ボタンを押す必要がある。これらの操作は手間がかかるので、本発明の他実施例に係る端末カバー本体は、上記の実施例に加えて、パワーオン回路とパワーオフ回路が、前記ケーシング本体にさらに設置されている。ここで、前記係合材が前記第一の状態に移動する前に、前記スライドブロックが前記パワーオン回路のパワーオン接点と接触する。前記係合材が前記第二の状態に移動する前、前記スライドブロックが前記パワーオフ回路のパワーオフ接点と接触する。
【００２３】
こうすると、係合材を押して端末カバー本体の着脱を行う前、スライドブロックがパワーオフ接点又はパワーオン接点と接触することによって、ケーシング本体上に設置されたパワーオフ回路又はパワーオン回路をターンオンして、端末カバー本体を取り外すとともに端末をパワーオフする又は端末カバー本体を取り付けるとともに端末をパワーオンする。先に電源ボタンを操作しパワーオフ動作を行い、その後、端末カバー本体を取り外し、また端末カバー本体を取り付けた後、電源ボタンを押しパワーオンするという複雑な操作を簡略化して、端末カバー本体の着脱を更に便利且つ素早くする。
【００２４】
図１のように、本発明の他実施例に係る端末カバー本体は、上記の実施例に加え、端末カバー本体の構造の分解図を挙げている。前記ケーシング本体は、第一のケーシング３と第二のケーシング１を含む。前記第一のケーシング３と前記第二のケーシング１とを組み合わせて、これらの中間に一つの収納空間を有する中間層を形成させている。前記係合材２が前記中間層に設置されている。前記スライドスロット３−２が前記第一のケーシング３に設置されている。前記スライドブロック３−１が前記スライドスロット３−２の内に設置されている。前記係合材２は、交差するように設置される第一のロッド本体２−３と第二のロッド本体２−４を含む。前記係合材２は、第一のロッド本体２−３と第二のロッド本体２−４の交差点に設置された中部の回転軸２−２を介して、前記第一のケーシング３と前記第二のケーシング１に固定されている。係止フック２−１が、前記第一のロッド本体２−３と前記第二のロッド本体２−４との各端部に、共に設置されている。前記係止フック２−１が、前記第二のケーシング１四隅に設置された穴１−５を介して、前記中間層から露出される。前記パワーオン回路と前記パワーオフ回路は、共に、前記第二のケーシング１における第一のケーシング３に向う側に設置されている。ここで、前記パワーオン回路は第一の回路１−１と第二の回路１−２を含む。前記パワーオフ回路は第三の回路１−３と第四の回路１−４を含む。前記パワーオン接点は、前記第一の回路１−１に対して前記スライドスロット３−２に設置された第一の接点Ａと前記第二の回路１−２に対して前記スライドスロット３−２に設置された第二の接点Ｂを含む。前記パワーオフ接点は、前記第三の回路１−３に対して前記スライドスロット３−２に設置された第三の接点Ｃと前記第四の回路１−４に対して前記スライドスロット３−２に設置された第四の接点Ｄを含む。
【００２５】
このように、図１に加え、本発明の実施形態に係る端末カバー本体の構成を示す図も挙げられる。図２のような内部を示す内部図と図３のような外観を示す外観図を含む。ここで、内部図において、中間層内の回路を斜視図として示す。
【００２６】
以上、本発明の実施形態に係る端末カバー本体の全体構成を示し、装置本体との結合又は装置本体からの分離を実現するために、一方係合溝４−１が装置本体上に設置されている。図４、図５のように、端末カバー本体を閉じた後、係止フック２−１が装置本体の一方係合溝４−１内に入れるによって、端末カバー本体を装置本体と結合させる。
【００２７】
以下、本発明の別の実施例に係る端末カバー本体において、前記の実施例に加え、導電体が前記スライドブロックの底部に設置されている。前記スライドブロックは、パワーオン接点と接触してパワーオン回路をオンした後、前記第一の状態に移動する時、前記係合材を押して、前記係合材を前記装置本体と係合させる。前記スライドブロックは、パワーオフ接点と接触してパワーオフ回路をオンした後、前記第二の状態に移動する時、前記係合材を押して、前記係合材を前記装置本体から分離させる。前記第一の接点、前記第二の接点、前記第三の接点及び前記第四の接点のいずれも物理的接触式の凸状な接点である。前記第一の接点、前記第二の接点、前記第三の接点及び前記第四の接点は、前記係合材が第一の状態又は第二の状態にある場合、前記スライドブロックをロック（ｌｏｃｋ）する。
【００２８】
図６のように、端末カバー本体を開きたい時、弧状スライドスロット内において、図６における矢印の方向に沿ってスライドブロック３−１を摺動する。スライドブロック３−１の底部は導電体であるため、第三の接点Ｃと第四の接点Ｄと接触し押して、パワーオフ回路をオンし、システムよりパワーオフ命令が実行されて、端末がパワーオフ状態になる。その後、図における矢印の方向に沿って、スライドブロック３−１を続けて摺動する。図７のように、スライドブロック３−１は、第三の接点Ｃと第四の接点Ｄから離脱する。スライドブロック３−１は係合材２と接触し、係合材２を押して変位させる。係合材２の第一のロッド本体２−３と第二のロッド本体２−４の係止フック２−１が係合溝４−１から離脱して、端末カバー本体が装置本体から分離する。この時、図８のように、スライドブロック３−１の右端は係合材２と接触して、左端は第四の接点Ｄと接触している。スライドブロック３−１が凸状な第四の接点Ｄにロック（ｌｏｃｋ）されるため、外力が作用しない場合、スライドブロック３−１が移動されなく、接触している係合材２も移動されない。
【００２９】
同じく、端末カバー本体を取り付ける場合、図９のように、端末カバー本体を装置本体に置いた後、スライドブロック３−１を反転に摺動する。スライドブロック３−１は、第一の接点Ａと第二の接点Ｂと接触し押して、パワーオン回路をオンして、システムよりパワーオン命令が実行され、端末がパワーオンする。その後、スライドブロック３−１を続けて摺動して、図１０のように、スライドブロック３−１は、第一の接点Ａと第二の接点Ｂから離脱する。スライドブロック３−１は係合材２と接触して、係合材２を押して変位させる。係合材２の第一のロッド本体２−３と第二のロッド本体２−４の係止フック２−１を係合溝４−１に押し込み、端末カバー本体が装置本体と結合する。この時、スライドブロック３−１の左端は係合材２と接触して、右端は第一の接点Ａと接触している。スライドブロック３−１が凸状な第一の接点Ａにロック（ｌｏｃｋ）されるため、外力が作用しない場合、スライドブロック３−１が移動されなく、図１１のように、接触している係合材２も移動しなく、係止フック２−１が係合溝４−１から分離することがない。
【００３０】
一つの例として、図１２は前記のパワーオン回路やパワーオフ回路を示す図である。図１２に示す電子設備は、電源モジュール、ベースバンド処理モジュール及びメモリモジュールを含む。ここで、第一の接点Ａは、第一の回路を介して電源モジュールと接続している。第二の接点Ｂは、第二の回路を介して電源モジュールと接続している。第三の接点Ｃは、第三の回路を介して電源モジュールと接続している。第四の接点Ｄは、第四の回路を介して電源モジュールと接続している。
【００３１】
勿論、本発明の実施形態に係る端末カバー本体の四つの接点は、物理的接触式の凸状な接点を例として説明しているが、誘導形的接点による回路であってもよいし、その他の形態であってもよいし、ここでは一つ一つを挙げない。
【００３２】
本発明の実施例はまた、端末を提供している。この端末は前記の端末カバー本体を含む。
【００３３】
なお、該当端末は、前記端末カバー本体を含む端末であり、前記端末カバー本体の実現方式は、該当端末の実施例に適用され、同じ技術効果を奏することができる。
【００３４】
本発明の実施例における前記技術案の効果は以下のようなものである。
【００３５】
本発明の実施例における端末カバー本体は、ケーシング本体におけるスライドスロット内のスライドブロックを押すことによって、係合材を装置本体との係合状態と装置本体からの離脱状態の間に動作させ、ケーシング本体と装置本体の締付又は分離を行う。この技術案によって、端末カバー本体の着脱が便利、簡単になり、且つ端末カバー本体及び端末の破損を引き起すことがない。
【００３６】
本発明の実施形態における端末カバー本体において、パワーオン回路とパワーオフ回路が、更に、ケーシング本体に設置されている。係合材を押して端末カバー本体の着脱を完了する前、スライドブロックは、パワーオフ接点と接触する又はパワーオン接点と接触するによって、ケーシング本体に設置されたパワーオフ回路又はパワーオン回路をオンして、端末カバー本体を取り外すとともに端末をパワーオフし、又は、端末カバー本体を取り付けるとともに端末をパワーオンする。先に電源ボタンを操作しパワーオフ動作を行い、その後、端末カバー本体を取り外し、また端末カバー本体を取り付けた後、電源ボタンを押し端末がパワーオンするという複雑な操作を簡略化して、端末カバー本体の着脱を便利且つ素早くする。
【００３７】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【符号の説明】
【００３８】
１：第二のケーシング  １−１：第一の回路  １−２：第二の回路  １−３：第三の回路  １−４：第四の回路  １−５：穴
２：係合材  ２−１：係止フック  ２−２：中部の回転軸  ２−３：第一のロッド本体  ２−４：第二のロッド本体
３：第一のケーシング  ３−１：スライドブロック  ３−２：スライドスロット
Ａ:第一の接点  Ｂ：第二の接点  Ｃ：第三の接点  Ｄ：第四の接点
【図１】
0006291044.tif 000002
【図２】
0006291044.tif 000003
【図３】
0006291044.tif 000004
【図４】
0006291044.tif 000005
【図５】
0006291044.tif 000006
【図６】
0006291044.tif 000007
【図７】
0006291044.tif 000008
【図８】
0006291044.tif 000009
【図９】
0006291044.tif 000010
【図１０】
0006291044.tif 000011
【図１１】
0006291044.tif 000012
【図１２】
0006291044.tif 000013